(57)【要約】【課題】この発明は、番組や音声ソース等が切り替えられたときに適正な音量に自動的に設定可能として、ユーザにとっての取り扱いを便利にし得る放送受信装置及び放送受信方法、音声再生装置及び音声再生方法を提供することを目的としている。【解決部】番組が含まれる放送信号を受信する受信部１２〜１４と；受信された番組のジャンルを示す情報を取得する取得部２６と；受信された番組視聴の際の音量調整に対応して、調整された音量に関するデータを発生する音量データ発生部２１と；番組受信の変化を検出する検出部２１と；検出結果に基づいて、受信される番組が切り替えられる際に視聴していた番組のジャンルを示す情報と、番組視聴時に出力されていた音声の音量データとを対応させてテーブルを作成するテーブル作成部２１とを備える。【選択図】    図１
2006019770.tif 000002
【特許請求の範囲】
【請求項１】
番組が含まれる放送信号を受信する受信部と、
前記受信部で受信された番組のジャンルを示す情報を取得する取得部と、
前記受信部で受信された番組視聴の際の音量調整に対応して、調整された音量に関するデータを発生する音量データ発生部と、
前記受信部における番組受信の変化を検出する検出部と、
前記検出部の検出結果に基づいて、前記受信部で受信される番組が切り替えられる際に視聴していた番組の前記ジャンルを示す情報と、番組視聴時に出力されていた音声の音量データとを対応させてテーブルを作成するテーブル作成部とを具備することを特徴とする放送受信装置。
【請求項２】
前記テーブル作成部は、前記受信部で受信される番組が切り替えられた時間帯と、前記受信部で受信される番組が切り替えられる際に視聴していた番組の前記ジャンルを示す情報と、番組視聴時に出力されていた音声の音量データとを対応させてテーブルを作成することを特徴とする請求項１記載の放送受信装置。
【請求項３】
前記テーブル作成部は、受信チャンネルが切り替えられたこと、前記受信部で受信された番組のジャンルが変わったこと、電源がオフに切り替えられたことのいずれかを、番組受信の変化として検出することを特徴とする請求項１または２記載の放送受信装置。
【請求項４】
番組が含まれる放送信号を受信する受信部と、
前記受信部で受信された番組の音声信号を復元する処理部と、
前記処理部で復元された音声信号を、音量調整操作に対応して発生される音量データに対応した音量の信号に変換する音量制御部と、
前記受信部で受信された番組のジャンルを示す情報を取得する取得部と、
予め前記番組のジャンルを示す情報と前記音量データとを対応付けたテーブルを記憶した記憶部と、
前記記憶部のテーブルから前記取得部で取得された番組のジャンルを示す情報に対応した音量データを読み出し、前記音量制御部に供給する制御部とを具備することを特徴とする放送受信装置。
【請求項５】
前記記憶部は、番組のジャンルを示す情報と時間帯を示す情報と音量データとを対応付けたテーブルを記憶し、
前記制御部は、前記記憶部のテーブルから現在時刻に対応する時間帯と前記取得部で取得された番組のジャンルを示す情報とに対応した音量データを読み出し、前記音量制御部に供給することを特徴とする請求項５記載の放送受信装置。
【請求項６】
番組が含まれる放送信号を受信する受信部と、
前記受信部で受信された番組のジャンルを示す情報を取得する取得部と、
前記受信部で受信された番組視聴の際の音量調整に対応して、調整された音量に関するデータを発生する音量データ発生部と、
前記受信部における番組受信の変化を検出する検出部と、
前記検出部の検出結果に基づいて、前記受信部で受信される番組が切り替えられる際に視聴していた番組の前記ジャンルを示す情報と、番組視聴時に出力されていた音声の音量データとを対応させてテーブルを作成するテーブル作成部と、
前記受信部で受信された番組の音声信号を復元する処理部と、
前記処理部で復元された音声信号を前記音量データに対応した音量の信号に変換する音量制御部と、
前記テーブル作成部で作成されたテーブルから、前記取得部で取得された番組のジャンルを示す情報に対応した音量データを読み出し、前記音量制御部に供給する制御部とを具備することを特徴とする放送受信装置。
【請求項７】
前記制御部は、前記テーブル作成部で作成されたテーブルに、前記取得部で取得された番組のジャンルを示す情報が存在しない場合、予め設定されている基準の音量データを前記音量制御部に供給することを特徴とする請求項６記載の放送受信装置。
【請求項８】
番組が含まれる放送信号を受信する第１の工程と、
受信された番組のジャンルを示す情報を取得する第２の工程と、
受信された番組視聴の際の音量調整に対応して、調整された音量に関するデータを発生する第３の工程と、
番組受信の変化を検出する第４の工程と、
検出結果に基づいて、受信される番組が切り替えられる際に視聴していた番組の前記ジャンルを示す情報と、番組視聴時に出力されていた音声の音量データとを対応させてテーブルを作成する第５の工程とを具備することを特徴とする放送受信方法。
【請求項９】
番組が含まれる放送信号を受信する第１の工程と、
受信された番組の音声信号を復元する第２の工程と、
復元された音声信号を、音量調整操作に対応して発生される音量データに対応した音量の信号に変換する第３の工程と、
受信された番組のジャンルを示す情報を取得する第４の工程と、
予め前記番組のジャンルを示す情報と前記音量データとを対応付けたテーブルから、前記第４の工程で取得した番組のジャンルを示す情報に対応した音量データを読み出し、前記第３の工程での変換処理に供させる第５の工程とを具備することを特徴とする放送受信方法。
【請求項１０】
音声信号を含む複数のソースからの信号を選択的に受信する受信部と、
前記受信部で受信されたソースを視聴する際の音量調整に対応して、調整された音量に関するデータを発生する音量データ発生部と、
前記受信部におけるソースの切り替えを検出する検出部と、
前記検出部の検出結果に基づいて、前記受信部で受信するソースが切り替えられる際に視聴していたソースを示す情報と、ソースの視聴時に出力されていた音声の音量データとを対応させてテーブルを作成するテーブル作成部とを具備することを特徴とする音声再生装置。
【請求項１１】
前記テーブル作成部は、前記受信部で受信するソースが切り替えられた時間帯と、前記受信部で受信するソースが切り替えられる際に視聴していたソースを示す情報と、ソースの視聴時に出力されていた音声の音量データとを対応させてテーブルを作成することを特徴とする請求項１０記載の音声再生装置。
【請求項１２】
前記テーブル作成部は、電源がオフに切り替えられる際に視聴していたソースを示す情報と、ソースの視聴時に出力されていた音声の音量データとを対応させてテーブルを作成することを特徴とする請求項１０または１１記載の音声再生装置。
【請求項１３】
音声信号を含む複数のソースからの信号を選択的に受信する受信部と、
前記受信部で受信された信号から音声信号を復元する処理部と、
前記処理部で復元された音声信号を、音量調整操作に対応して発生される音量データに対応した音量の信号に変換する音量制御部と、
予め前記ソースを示す情報と前記音量データとを対応付けたテーブルを記憶した記憶部と、
前記記憶部のテーブルから前記受信部で受信するソースを示す情報に対応した音量データを読み出し、前記音量制御部に供給する制御部とを具備することを特徴とする音声再生装置。
【請求項１４】
前記記憶部は、ソースを示す情報と時間帯を示す情報と音量調整データとを対応付けたテーブルを記憶し、
前記制御部は、前記記憶部のテーブルから現在時刻に対応する時間帯と前記受信部で受信するソースを示す情報とに対応した音量データを読み出し、前記音量制御部に供給することを特徴とする請求項１３記載の音声再生装置。
【請求項１５】
音声信号を含む複数のソースからの信号を選択的に受信する受信部と、
前記受信部で受信されたソースを視聴する際の音量調整に対応して、調整された音量に関するデータを発生する音量データ発生部と、
前記受信部におけるソースの切り替えを検出する検出部と、
前記検出部の検出結果に基づいて、前記受信部で受信するソースが切り替えられる際に視聴していたソースを示す情報と、ソースの視聴時に出力されていた音声の音量データとを対応させてテーブルを作成するテーブル作成部と、
前記受信部で受信された信号から音声信号を復元する処理部と、
前記処理部で復元された音声信号を、音量調整操作に対応して発生される音量データに対応した音量の信号に変換する音量制御部と、
前記記憶部のテーブルから前記受信部で受信するソースを示す情報に対応した音量データを読み出し、前記音量制御部に供給する制御部とを具備することを特徴とする音声再生装置。
【請求項１６】
前記制御部は、前記テーブル作成部で作成されたテーブルに、前記受信部で受信するソースを示す情報が存在しない場合、予め設定されている基準の音量データを前記音量制御部に供給することを特徴とする請求項１５記載の音声再生装置。
【請求項１７】
音声信号を含む複数のソースからの信号を選択的に受信する第１の工程と、
受信されたソースを視聴する際の音量調整に対応して、調整された音量に関するデータを発生する第２の工程と、
前記第１の工程におけるソースの切り替えを検出する第３の工程と、
検出結果に基づいて、受信するソースが切り替えられる際に視聴していたソースを示す情報と、ソースの視聴時に出力されていた音声の音量データとを対応させてテーブルを作成する第４の工程とを具備することを特徴とする音声再生方法。
【請求項１８】
音声信号を含む複数のソースからの信号を選択的に受信する第１の工程と、
受信された信号から音声信号を復元する第２の工程と、
復元された音声信号を、音量調整操作に対応して発生される音量データに対応した音量の信号に変換する第３の工程と、
予め前記ソースを示す情報と前記音量データとを対応付けたテーブルから、前記第１の工程で受信するソースを示す情報に対応した音量データを読み出し、前記第３の工程における変換処理に供させる第４の工程とを具備することを特徴とする音声再生方法。
【発明の詳細な説明】
【技術分野】
【０００１】
この発明は、放送信号を受信して音声再生を行なう放送受信装置及び放送受信方法に係り、特にその音量を調整するものに関する。また、この発明は、入力信号に基づいて音声再生を行なう音声再生装置及び音声再生方法に係り、特にその音量を調整するものに関する。
【背景技術】
【０００２】
周知のように、例えばテレビジョン放送受信装置等にあっては、受信する番組に無関係に、ユーザが操作により音量を所定の出力レベルに設定可能になっている。このため、視聴している番組を、例えば「ニュース」から「映画」に切り替えた場合、音量が変化してしまい、その都度、ユーザは適正な音量に調整し直す必要が生じている。
【０００３】
特許文献１には、音質を調整することにより、設定されている音量が変わらないように自動的に調整する音響再生装置の構成が開示されている。しかしながら、この特許文献１には、番組を切り替えたときに生じる音量の変化に対処することについては、何らの記載もなされていないものである。
【特許文献１】特開平６−１７７６８６号公報
【発明の開示】
【発明が解決しようとする課題】
【０００４】
そこで、この発明は上記事情を考慮してなされたもので、番組や音声ソース等が切り替えられたときに適正な音量に自動的に設定可能として、ユーザにとっての取り扱いを便利にし得る放送受信装置及び放送受信方法、音声再生装置及び音声再生方法を提供することを目的とする。
【課題を解決するための手段】
【０００５】
この発明に係る放送受信装置は、番組が含まれる放送信号を受信する受信部と；受信部で受信された番組のジャンルを示す情報を取得する取得部と；受信部で受信された番組視聴の際の音量調整に対応して、調整された音量に関するデータを発生する音量データ発生部と；受信部における番組受信の変化を検出する検出部と；検出部の検出結果に基づいて、受信部で受信される番組が切り替えられる際に視聴していた番組のジャンルを示す情報と、番組視聴時に出力されていた音声の音量データとを対応させてテーブルを作成するテーブル作成部とを備えるようにしたものである。
【０００６】
また、この発明に係る放送受信方法は、番組が含まれる放送信号を受信する第１の工程と；受信された番組のジャンルを示す情報を取得する第２の工程と；受信された番組視聴の際の音量調整に対応して、調整された音量に関するデータを発生する第３の工程と；番組受信の変化を検出する第４の工程と；検出結果に基づいて、受信される番組が切り替えられる際に視聴していた番組のジャンルを示す情報と、番組視聴時に出力されていた音声の音量データとを対応させてテーブルを作成する第５の工程とを備えるようにしたものである。
【０００７】
さらに、この発明に係る音声再生装置は、音声信号を含む複数のソースからの信号を選択的に受信する受信部と；受信部で受信されたソースを視聴する際の音量調整に対応して、調整された音量に関するデータを発生する音量データ発生部と；受信部におけるソースの切り替えを検出する検出部と；検出部の検出結果に基づいて、受信部で受信するソースが切り替えられる際に視聴していたソースを示す情報と、ソースの視聴時に出力されていた音声の音量データとを対応させてテーブルを作成するテーブル作成部とを備えるようにしたものである。
【０００８】
また、この発明に係る音声再生方法は、音声信号を含む複数のソースからの信号を選択的に受信する第１の工程と；受信されたソースを視聴する際の音量調整に対応して、調整された音量に関するデータを発生する第２の工程と；第１の工程におけるソースの切り替えを検出する第３の工程と；検出結果に基づいて、受信するソースが切り替えられる際に視聴していたソースを示す情報と、ソースの視聴時に出力されていた音声の音量データとを対応させてテーブルを作成する第４の工程とを備えるようにしたものである。
【発明の効果】
【０００９】
上記した発明によれば、番組のジャンルや音声ソースが切り替えられたときに、その切り替えられる際に視聴していた番組のジャンルやソースと、そのときに発生されていた音声の音量データとを対応させてテーブルを作成するようにしたので、番組のジャンルや音声ソース等が切り替えられたときに、テーブルの音量データを利用して適正な音量に自動的に設定可能となり、ユーザにとっての取り扱いを便利にすることができる。
【発明を実施するための最良の形態】
【００１０】
以下、この発明の第１の実施の形態について図面を参照して詳細に説明する。図１は、この第１の実施の形態で説明する放送受信装置１１を示している。この放送受信装置１１は、デジタル放送を受信する機能と、外部のＬＡＮ（Local Area Network）からデジタル伝送信号を受信する機能とを備えている。
【００１１】
すなわち、デジタル放送信号は、アンテナ１２で受信され、ＴＶ入力端子１３を介して受信部１４に供給される。この受信部１４は、入力されたデジタル放送信号から所定のチャンネルの信号を抽出してセレクタ１５に出力している。
【００１２】
また、外部のＬＡＮから取得されたデジタル伝送信号は、入力端子１６を介してセレクタ１５に供給される。このセレクタ１５は、デジタル放送信号とデジタル伝送信号とを選択的に切り替えて信号処理部１７に導出している。
【００１３】
なお、上記デジタル放送信号とデジタル伝送信号には、ユーザが視聴するための番組が含まれている。
【００１４】
そして、上記信号処理部１７は、入力されたデジタル放送信号またはデジタル伝送信号からアナログの映像信号と音声信号とを復元し、音声信号を音量制御部１８に出力している。この音量制御部１８は、入力された音声信号に対して、外部から供給される音量データに対応した音量となるように増幅処理を施している。
【００１５】
この音量制御部１８で増幅された音声信号は、音声出力端子１９を介してスピーカ２０に供給され、上記音量データに対応した音量で音声再生される。なお、上記信号処理部１７から出力される映像信号については、簡単のため、以後の処理説明を省略している。
【００１６】
ここで、この放送受信装置１１は、上記した各種の受信動作を含むその全ての動作を制御部２１によって統括的に制御されている。この制御部２１は、ＣＰＵ（Central Processing Unit）等を内蔵しており、操作部２２からの操作情報を受け、または、リモートコントローラ２３から送出された操作情報を受信部２４を介して受信し、その操作内容が反映されるように各部をそれぞれ制御している。
【００１７】
この場合、制御部２１は、メモリ部２５を利用している。すなわち、このメモリ部２５は、主として、制御部２１のＣＰＵが実行する制御プログラムを格納したＲＯＭ（Read Only Memory）２５ａと、該ＣＰＵに作業エリアを提供するＲＡＭ（Random Access Memory）２５ｂと、各種のテーブル、設定情報及び制御情報等が格納されるＥＥＰＲＯＭ（Electrically Erasable and Programmable Read Only Memory）２５ｃとを含んでいる。
【００１８】
なお、上記制御部２１には、後述する番組のジャンルを示す情報を一時記憶するためのＲＡＭ２１ａと、上記音量制御部１８に出力した音量データを一時記憶するためのＲＡＭ２１ｂとが備えられている。
【００１９】
また、上記信号処理部１７は、受信したデジタル放送信号またはデジタル伝送信号からＥＰＧ（Electronic Program Guide）データを取得して、ジャンル情報取得部２６に出力している。
【００２０】
このジャンル情報取得部２６は、入力されたＥＰＧデータから、現在受信している番組のジャンル（例えば、映画、スポーツ、ニュース、ドラマ、音楽、趣味等）を示す情報を取得して制御部２１に出力している。
【００２１】
このジャンル情報は、例えば、図２に示すように、複数ビット（図示の場合は５ビット）で構成され、各ジャンルＡ，Ｂ，Ｃ，……毎に、異なるビットにフラグ“１”が立てられているものである。そして、制御部２１は、ジャンル情報が取得される毎にＲＡＭ２１ａに記憶されているジャンル情報を更新させている。
【００２２】
一方、この制御部２１は、ユーザが、操作部２２またはリモートコントローラ２３により音量調整操作を行なうと、その操作に対応した音量データを発生し、ＲＡＭ２１ｂに一時記憶させるとともに、音量制御部１８に出力している。この場合も、制御部２１は、音量データが可変される毎に、ＲＡＭ２１ｂに記憶されている音量データを更新する。
【００２３】
ここで、上記制御部２１は、図３に示すように、ジャンル（情報）と音量データとを対応させたテーブルを作成して、メモリ部２５のＥＥＰＲＯＭ２５ｃに記憶させている。この場合、音量データは、例えば４ビットのデータであり、その値に対応して音量制御部１８の利得が決定されるようになっている。
【００２４】
そして、このテーブルには、番組が切り替えられたとき、または、放送受信装置１１の操作部２２に含まれる電源スイッチがオフされたときに、制御部２１のＲＡＭ２１ａに一時記憶されている番組のジャンル情報と、ＲＡＭ２１ｂに一時記憶されている音量データとが対応付けられて記憶されるようになっている。
【００２５】
このため、制御部２１は、以前に受信したジャンルと同じジャンルの番組が受信されたときには、メモリ部２５のテーブルからそのジャンルに対応した音量データを読み出して音量制御部１８に供給する。これにより、同じジャンルの番組に対しては、同じ音量になるように自動的に調整されることになる。
【００２６】
図４及び図５は、上記した音量自動調整動作をまとめたフローチャートを示している。まず、処理が開始（ステップＳ１）され、ステップＳ２で所定の番組が視聴されると、制御部２１は、ステップＳ３で、その番組のジャンル情報を取得し、ステップＳ４で、ＲＡＭ２１ａに一時記憶する。
【００２７】
そして、制御部２１は、ステップＳ５で、取得したジャンル情報が、メモリ部２５のＥＥＰＲＯＭ２５ｃのテーブルに記憶されているか否かを判別し、記憶されていると判断された場合（ＹＥＳ）、ステップＳ６で、テーブルから音量データを読み出し、音量制御部１８に供給して音量を自動調整する。
【００２８】
また、上記ステップＳ５で取得したジャンル情報がテーブルに記憶されていないと判断された場合（ＮＯ）、制御部２１は、ステップＳ７で、ＥＥＰＲＯＭ２５ｃに予め設定値として記憶されている基準の音量データを読み出し、音量制御部１８に供給して音量を自動調整する。
【００２９】
そして、ステップＳ６またはＳ７の後、制御部２１は、ステップＳ８で、ステップＳ６またはＳ７で使用した音量データをＲＡＭ２１ｂに一時記憶させる。
【００３０】
その後、制御部２１は、ステップＳ９で、操作部２２またはリモートコントローラ２３により音量調整操作が行なわれたか否かを判別し、音量調整操作が行なわれたと判断された場合（ＹＥＳ）、ステップＳ１０で、音量調整操作に対応した音量データを発生して音量を変更し、その音量データをステップＳ８でＲＡＭ２１ｂに一時記憶させる。
【００３１】
また、上記ステップＳ９で音量調整操作が行なわれていないと判断された場合（ＮＯ）、制御部２１は、ステップＳ１１で、受信チャンネルが切り替えられたか否かを判別し、切り替えられたと判断された場合（ＹＥＳ）、ステップＳ１２で、ＲＡＭ２１ａに一時記憶されているジャンル情報とＲＡＭ２１ｂに一時記憶されている音量データとを対応させて、ＥＥＰＲＯＭ２５ｃのテーブルに記憶させてステップＳ２の処理に戻される。
【００３２】
一方、上記ステップＳ１１で受信チャンネルが切り替えられていないと判断された場合（ＮＯ）、制御部２１は、ステップＳ１３で、番組のジャンルが切り替えられたか否かを判別し、切り替えられたと判断された場合（ＹＥＳ）、ステップＳ１４で、ＲＡＭ２１ａに一時記憶されているジャンル情報とＲＡＭ２１ｂに一時記憶されている音量データとを対応させて、ＥＥＰＲＯＭ２５ｃのテーブルに記憶させてステップＳ２の処理に戻される。
【００３３】
また、上記ステップＳ１３でジャンルが切り替えられていないと判断された場合（ＮＯ）、制御部２１は、ステップＳ１５で、放送受信装置１１の操作部２２及びリモートコントローラ２３に設置された電源スイッチがオフされたか否かを判別し、電源スイッチがオフされていないと判断された場合（ＮＯ）、ステップＳ９の処理に戻される。
【００３４】
さらに、上記ステップＳ１５で電源スイッチがオフされたと判断された場合（ＹＥＳ）、制御部２１は、ステップＳ１６で、ＲＡＭ２１ａに一時記憶されているジャンル情報とＲＡＭ２１ｂに一時記憶されている音量データとを対応させて、ＥＥＰＲＯＭ２５ｃのテーブルに記憶させ、ステップＳ１７で、放送受信装置１１の電源をオフにして、処理を終了（ステップＳ１８）する。
【００３５】
上記した第１の実施の形態によれば、受信チャンネルが切り替えられたとき、受信番組のジャンルが切り替えられたとき、電源スイッチがオフされたときに、その直前に受信していた番組のジャンルと、そのときの音量に対応した音量データとを対応させてメモリ部２５のＥＥＰＲＯＭ２５ｃのテーブルに記憶させるようにしている。
【００３６】
このため、以前に受信したジャンルと同じジャンルの番組が受信されたときには、メモリ部２５のテーブルからそのジャンルに対応した音量データを読み出して音量制御部１８に供給することにより、同じジャンルの番組に対しては同じ音量になるように自動的に調整されることになって、ユーザにとっての取り扱いを便利にすることができる。
【００３７】
図６は、この発明の第２の実施の形態を示している。図６において、図１と同一部分には同一符号を付して説明すると、上記信号処理部１７は、ＥＰＧデータを時刻検出部２７に出力している。この時刻検出部２７は、ＥＰＧデータから時刻情報を取得して制御部２１に出力している。
【００３８】
また、上記制御部２１には、タイマ部２８も接続されている。このため、制御部２１は、時刻検出部２７とタイマ部２８とから、それぞれ必要に応じて時刻情報を取得することが可能である。
【００３９】
そして、制御部２１は、１日を例えば「早朝」、「日中」、「深夜」等のように、複数の時間帯に分け、図７に示すように、番組のジャンル（情報）と、時間帯と、音量データとを対応させたテーブルを作成して、メモリ部２５のＥＥＰＲＯＭ２５ｃに記憶させている。これにより、同じジャンルの番組であっても、日中に比べて深夜の方が音量が低くなるように、時間帯によって音量を自動的に変えることが可能となる。
【００４０】
図８及び図９は、上記した音量自動調整動作をまとめたフローチャートを示している。まず、処理が開始（ステップＳ１９）され、ステップＳ２０で所定の番組が視聴されると、制御部２１は、ステップＳ２１で、その番組のジャンル情報を取得し、ステップＳ２２で、取得したジャンル情報をＲＡＭ２１ａに一時記憶した後、ステップＳ２３で、現在の時刻情報を取得する。
【００４１】
そして、制御部２１は、ステップＳ２４で、取得したジャンル情報が、メモリ部２５のＥＥＰＲＯＭ２５ｃのテーブルに記憶されているか否かを判別し、記憶されていると判断された場合（ＹＥＳ）、ステップＳ２５で、取得したジャンル情報と取得した現在時刻が含まれる時間帯とに対応させてメモリ部２５のテーブルに記憶されている音量データを読み出し、音量制御部１８に供給して音量を自動調整する。
【００４２】
また、上記ステップＳ２５で取得したジャンル情報がテーブルに記憶されていないと判断された場合（ＮＯ）、制御部２１は、ステップＳ２６で、ＥＥＰＲＯＭ２５ｃに予め設定値として記憶されている基準の音量データを読み出し、音量制御部１８に供給して音量を自動調整する。
【００４３】
そして、ステップＳ２５またはＳ２６の後、制御部２１は、ステップＳ２７で、ステップＳ２５またはＳ２６で使用した音量データをＲＡＭ２１ｂに一時記憶させる。
【００４４】
その後、制御部２１は、ステップＳ２８で、操作部２２またはリモートコントローラ２３により音量調整操作が行なわれたか否かを判別し、音量調整操作が行なわれたと判断された場合（ＹＥＳ）、ステップＳ２９で、音量調整操作に対応した音量データを発生して音量を変更し、その音量データをステップＳ２７でＲＡＭ２１ｂに一時記憶させる。
【００４５】
また、上記ステップＳ２８で音量調整操作が行なわれていないと判断された場合（ＮＯ）、制御部２１は、ステップＳ３０で、受信チャンネルが切り替えられたか否かを判別し、切り替えられたと判断された場合（ＹＥＳ）、ステップＳ３１で、ステップＳ２３で取得した現在時刻が含まれる時間帯と、ＲＡＭ２１ａに一時記憶されているジャンル情報と、ＲＡＭ２１ｂに一時記憶されている音量データとを対応させて、ＥＥＰＲＯＭ２５ｃのテーブルに記憶させてステップＳ２０の処理に戻される。
【００４６】
一方、上記ステップＳ３０で受信チャンネルが切り替えられていないと判断された場合（ＮＯ）、制御部２１は、ステップＳ３２で、番組のジャンルが切り替えられたか否かを判別し、切り替えられたと判断された場合（ＹＥＳ）、ステップＳ３３で、ステップＳ２３で取得した現在時刻が含まれる時間帯と、ＲＡＭ２１ａに一時記憶されているジャンル情報と、ＲＡＭ２１ｂに一時記憶されている音量データとを対応させて、ＥＥＰＲＯＭ２５ｃのテーブルに記憶させてステップＳ２０の処理に戻される。
【００４７】
また、上記ステップＳ３２でジャンルが切り替えられていないと判断された場合（ＮＯ）、制御部２１は、ステップＳ３４で、放送受信装置１１の操作部２２及びリモートコントローラ２３に設置された電源スイッチがオフされたか否かを判別し、電源スイッチがオフされていないと判断された場合（ＮＯ）、ステップＳ２８の処理に戻される。
【００４８】
さらに、上記ステップＳ３４で電源スイッチがオフされたと判断された場合（ＹＥＳ）、制御部２１は、ステップＳ３５で、ステップＳ２３で取得した現在時刻が含まれる時間帯と、ＲＡＭ２１ａに一時記憶されているジャンル情報と、ＲＡＭ２１ｂに一時記憶されている音量データとを対応させて、ＥＥＰＲＯＭ２５ｃのテーブルに記憶させ、ステップＳ３６で、放送受信装置１１の電源をオフにして、処理を終了（ステップＳ３７）する。
【００４９】
上記した第２の実施の形態によれば、番組のジャンル（情報）と、時間帯と、音量データとを対応させてメモリ部２５のテーブルに記憶させるようにしているので、同じジャンルの番組であっても時間帯によって音量を自動的に変えることが可能となり、ユーザにとっての取り扱いを一層便利にすることができる。
【００５０】
なお、上記した第１及び第２の実施の形態では、放送受信装置１１がデジタル放送を受信するものとして説明したが、ＥＰＧデータ、または、番組のジャンルを示す情報や時刻を示す情報等が含まれる制御情報が放送されるものであれば、アナログ放送を受信するものにも適用することが可能である。
【００５１】
次に、この発明の第３の実施の形態について説明する。図１０は、この第３の実施の形態で説明する放送受信装置２９を示している。この放送受信装置２９は、４つのソースを受信する機能、つまり、アナログ放送を受信する機能と、デジタル放送を受信する機能と、外部に接続された機器から送出されるアナログ信号やデジタル信号を受信する機能とを備えている。
【００５２】
すなわち、アナログ放送信号は、アンテナ３０で受信され、入力端子３１を介してセレクタ３２に供給される。また、デジタル放送は、アンテナ３３で受信され、入力端子３４を介してセレクタ３２に供給される。
【００５３】
さらに、例えばＶＴＲ（Video Tape Recorder）等の外部機器３５から送出されるアナログ信号は、入力端子３６を介してセレクタ３２に供給される。また、例えばＤＶＤ（Digital Versatile Disk）ドライブ等の外部機器３７から送出されるアナログ信号は、入力端子３８を介してセレクタ３２に供給される。
【００５４】
このセレクタ３２は、アナログ放送信号、デジタル放送信号、アナログ信号及びデジタル信号とを選択的に切り替えて信号処理部３９に導出している。この信号処理部３９は、入力されたアナログ放送信号、デジタル放送信号、アナログ信号またはデジタル信号からアナログの映像信号と音声信号とを復元し、音声信号を音量制御部４０に出力している。この音量制御部４０は、入力された音声信号に対して、外部から供給される音量データに対応した音量となるように増幅処理を施している。
【００５５】
そして、この音量制御部４０で増幅された音声信号は、音声出力端子４１を介してスピーカ４２に供給され、上記音量データに対応した音量で音声再生される。なお、上記信号処理部３９から出力される映像信号については、簡単のため、以後の処理説明を省略している。
【００５６】
ここで、この放送受信装置２９は、上記した各種の受信動作を含むその全ての動作を制御部４３によって統括的に制御されている。この制御部４３は、ＣＰＵ等を内蔵しており、操作部４４からの操作情報を受け、または、リモートコントローラ４５から送出された操作情報を受信部４６を介して受信し、その操作内容が反映されるように各部をそれぞれ制御している。
【００５７】
この場合、制御部４３は、メモリ部４７を利用している。すなわち、このメモリ部４７は、主として、制御部４３のＣＰＵが実行する制御プログラムを格納したＲＯＭ４７ａと、該ＣＰＵに作業エリアを提供するＲＡＭ４７ｂと、各種のテーブル、設定情報及び制御情報等が格納されるＥＥＰＲＯＭ４７ｃとを含んでいる。
【００５８】
なお、上記制御部４３には、後述する入力ソースを示す情報を一時記憶するためのＲＡＭ４３ａと、上記音量制御部１８に出力した音量データを一時記憶するためのＲＡＭ４３ｂとが備えられている。
【００５９】
そして、上記制御部４３は、ユーザが、操作部４４またはリモートコントローラ４５によりソース切り替え操作を行なうと、その操作に対応した切替データを発生しセレクタ３２に出力し、セレクタ３２を切り替え制御している。この場合、制御部２１は、ソースが切り替えられる毎にＲＡＭ４３ａに記憶されているソース情報を更新させている。
【００６０】
また、この制御部４３は、ユーザが、操作部４４またはリモートコントローラ４５により音量調整操作を行なうと、その操作に対応した音量データを発生し、ＲＡＭ４３ｂに一時記憶させるとともに、音量制御部１８に出力している。この場合も、制御部４３は、音量データが可変される毎に、ＲＡＭ４３ｂに記憶されている音量データを更新する。
【００６１】
ここで、上記制御部４３は、図１１に示すように、ソース（入力端子３１，３４，３６，３８）と音量データとを対応させたテーブルを作成して、メモリ部４７のＥＥＰＲＯＭ４７ｃに記憶させている。この場合、音量データは、例えば４ビットのデータであり、その値に対応して音量制御部４０の利得が決定されるようになっている。
【００６２】
そして、このテーブルには、ソース（入力端子３１，３４，３６，３８）が切り替えられたとき、または、放送受信装置２９の操作部４４に含まれる電源スイッチがオフされたときに、ＲＡＭ４３ａに一時記憶されているソース情報と、ＲＡＭ４３ｂに一時記憶されている音量データとが対応付けられて記憶されるようになっている。
【００６３】
このため、制御部４３は、以前に受信したソースと同じソースが受信されたときには、メモリ部４７のテーブルからそのソースに対応した音量データを読み出して音量制御部４０に供給する。これにより、同じソースに対しては、同じ音量になるように自動的に調整されることになる。
【００６４】
図１２及び図１３は、図１０に示した第３の実施の形態における音量自動調整動作をまとめたフローチャートを示している。まず、処理が開始（ステップＳ３８）され、ステップＳ３９で所定のソースからの例えば番組が視聴されると、制御部４３は、ステップＳ４０で、現在選択されているソース（入力端子３１，３４，３６，３８）がなんであるかを検出し、ステップＳ４１で、検出したソース情報をＲＡＭ４３ａに一時記憶する。
【００６５】
そして、制御部４３は、ステップＳ４２で、検出したソース情報が、メモリ部４７のＥＥＰＲＯＭ４７ｃのテーブルに記憶されているか否かを判別し、記憶されていると判断された場合（ＹＥＳ）、ステップＳ４３で、テーブルから音量データを読み出し、音量制御部１８に供給して音量を自動調整する。
【００６６】
また、上記ステップＳ４２で検出したソース情報がテーブルに記憶されていないと判断された場合（ＮＯ）、制御部４３は、ステップＳ４４で、ＥＥＰＲＯＭ４７ｃに予め設定値として記憶されている基準の音量データを読み出し、音量制御部４０に供給して音量を自動調整する。
【００６７】
そして、ステップＳ４３またはＳ４４の後、制御部４３は、ステップＳ４５で、ステップＳ４３またはＳ４４で使用した音量データをＲＡＭ４３ｂに一時記憶させる。
【００６８】
その後、制御部４３は、ステップＳ４６で、操作部４４またはリモートコントローラ４５により音量調整操作が行なわれたか否かを判別し、音量調整操作が行なわれたと判断された場合（ＹＥＳ）、ステップＳ４７で、音量調整操作に対応した音量データを発生して音量を変更し、その音量データをステップＳ４５でＲＡＭ４３ｂに一時記憶させる。
【００６９】
また、上記ステップＳ４６で音量調整操作が行なわれていないと判断された場合（ＮＯ）、制御部４３は、ステップＳ４８で、ソースが切り替えられたか否かを判別し、切り替えられたと判断された場合（ＹＥＳ）、ステップＳ４９で、ＲＡＭ４３ａに一時記憶されているソース情報とＲＡＭ４３ｂに一時記憶されている音量データとを対応させて、ＥＥＰＲＯＭ４７ｃのテーブルに記憶させてステップＳ３９の処理に戻される。
【００７０】
一方、上記ステップＳ４８でソースが切り替えられていないと判断された場合（ＮＯ）、制御部４３は、ステップＳ５０で、放送受信装置２９の操作部４４及びリモートコントローラ４５に設置された電源スイッチがオフされたか否かを判別し、電源スイッチがオフされていないと判断された場合（ＮＯ）、ステップＳ４６の処理に戻される。
【００７１】
さらに、上記ステップＳ５０で電源スイッチがオフされたと判断された場合（ＹＥＳ）、制御部４３は、ステップＳ５１で、ＲＡＭ４３ａに一時記憶されているソース情報とＲＡＭ４３ｂに一時記憶されている音量データとを対応させて、ＥＥＰＲＯＭ４７ｃのテーブルに記憶させ、ステップＳ５２で、放送受信装置２９の電源をオフにして、処理を終了（ステップＳ５３）する。
【００７２】
上記した第３の実施の形態によれば、ソースが切り替えられたとき、電源スイッチがオフされたときに、その直前に受信していたソース（入力端子３１，３４，３６，３８）と、そのとき発生していた音量データとを対応させてメモリ部４７のＥＥＰＲＯＭ４７ｃに記憶させるようにしている。
【００７３】
このため、以前に受信したソースと同じソースが受信されたときには、メモリ部４７からそのソースに対応した音量データを読み出して音量制御部４０に供給することにより、同じソースに対しては同じ音量になるように自動的に調整されることになって、ユーザにとっての取り扱いを便利にすることができる。
【００７４】
図１４は、この発明の第４の実施の形態を示している。図１４において、図１０と同一部分には同一符号を付して説明すると、上記信号処理部３９は、受信信号の中に含まれる制御信号を時刻検出部４８に出力している。この時刻検出部４８は、制御信号から時刻情報を取得して制御部４３に出力している。
【００７５】
また、上記制御部４３には、タイマ部４９も接続されている。このため、制御部４３は、時刻検出部４８とタイマ部４９とから、それぞれ必要に応じて時刻情報を取得することが可能である。
【００７６】
そして、制御部４３は、１日を例えば「早朝」、「日中」、「深夜」等のように、複数の時間帯に分け、図１５に示すように、ソースと、時間帯と、音量データとを対応させたテーブルを作成して、メモリ部４７のＥＥＰＲＯＭ４７ｃに記憶させている。これにより、同じソースであっても、日中に比べて深夜の方が音量が低くなるように、時間帯によって音量を自動的に変えることが可能となる。
【００７７】
図１６及び図１７は、上記した音量自動調整動作をまとめたフローチャートを示している。まず、処理が開始（ステップＳ５４）され、ステップＳ５５で、所定のソースからの例えば番組が視聴されると、制御部４３は、ステップＳ５６で、現在選択されているソース（入力端子３１，３４，３６，３８）がなんであるかを検出し、ステップＳ５７で、検出したソース情報をＲＡＭ４３ａに一時記憶した後、ステップＳ５８で、現在の時刻情報を取得する。
【００７８】
そして、制御部４３は、ステップＳ５９で、検出したソース情報が、メモリ部４７のＥＥＰＲＯＭ４７ｃのテーブルに記憶されているか否かを判別し、記憶されていると判断された場合（ＹＥＳ）、ステップＳ６０で、検出したソース情報と取得した現在時刻が含まれる時間帯とに対応させてメモリ部４７のテーブルに記憶されている音量データを読み出し、音量制御部１８に供給して音量を自動調整する。
【００７９】
また、上記ステップＳ５９で検出したソース情報がテーブルに記憶されていないと判断された場合（ＮＯ）、制御部４３は、ステップＳ６１で、ＥＥＰＲＯＭ４７ｃに予め設定値として記憶されている基準の音量データを読み出し、音量制御部１８に供給して音量を自動調整する。
【００８０】
そして、ステップＳ６０またはＳ６１の後、制御部４３は、ステップＳ６２で、ステップＳ６０またはＳ６１で使用した音量データをＲＡＭ４３ｂに一時記憶させる。
【００８１】
その後、制御部４３は、ステップＳ６３で、操作部４４またはリモートコントローラ４５により音量調整操作が行なわれたか否かを判別し、音量調整操作が行なわれたと判断された場合（ＹＥＳ）、ステップＳ６４で、音量調整操作に対応した音量データを発生して音量を変更し、その音量データをステップＳ６２でＲＡＭ４３ｂに一時記憶させる。
【００８２】
また、上記ステップＳ６３で音量調整操作が行なわれていないと判断された場合（ＮＯ）、制御部４３は、ステップＳ６５で、ソースが切り替えられたか否かを判別し、切り替えられたと判断された場合（ＹＥＳ）、ステップＳ６６で、ステップＳ５８で取得した現在時刻が含まれる時間帯と、ＲＡＭ４３ａに一時記憶されているソース情報と、ＲＡＭ４３ｂに一時記憶されている音量データとを対応させて、ＥＥＰＲＯＭ４７ｃのテーブルに記憶させてステップＳ５５の処理に戻される。
【００８３】
また、上記ステップＳ６５でソースが切り替えられていないと判断された場合（ＮＯ）、制御部４３は、ステップＳ６７で、放送受信装置２９の操作部４４及びリモートコントローラ４５に設置された電源スイッチがオフされたか否かを判別し、電源スイッチがオフされていないと判断された場合（ＮＯ）、ステップＳ６３の処理に戻される。
【００８４】
さらに、上記ステップＳ６７で電源スイッチがオフされたと判断された場合（ＹＥＳ）、制御部４３は、ステップＳ６８で、ステップＳ５８で取得した現在時刻が含まれる時間帯と、ＲＡＭ４３ａに一時記憶されているソース情報と、ＲＡＭ４３ｂに一時記憶されている音量データとを対応させて、ＥＥＰＲＯＭ４７ｃのテーブルに記憶させ、ステップＳ６９で、放送受信装置２９の電源をオフにして、処理を終了（ステップＳ７０）する。
【００８５】
上記した第４の実施の形態によれば、ソースと、時間帯と、音量データとを対応させてメモリ部４７のＥＥＰＲＯＭ４７ｃに記憶させるようにしているので、同じソースであっても時間帯によって音量を自動的に変えることが可能となり、ユーザにとっての取り扱いを一層便利にすることができる。
【００８６】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００８７】
【図１】この発明の第１の実施の形態を示すもので、放送受信装置を説明するために示すブロック構成図。
【図２】同第１の実施の形態における放送受信装置が受信するジャンル情報を説明するために示す図。
【図３】同第１の実施の形態における放送受信装置のジャンルと音量データとを対応付けたテーブルを説明するために示す図。
【図４】同第１の実施の形態における放送受信装置の主要な動作の一部を説明するために示すフローチャート。
【図５】同第１の実施の形態における放送受信装置の主要な動作の残部を説明するために示すフローチャート。
【図６】この発明の第２の実施の形態を示すもので、放送受信装置を説明するために示すブロック構成図。
【図７】同第２の実施の形態における放送受信装置のジャンルと時間帯と音量データとを対応付けたテーブルを説明するために示す図。
【図８】同第２の実施の形態における放送受信装置の主要な動作の一部を説明するために示すフローチャート。
【図９】同第２の実施の形態における放送受信装置の主要な動作の残部を説明するために示すフローチャート。
【図１０】この発明の第３の実施の形態を示すもので、放送受信装置を説明するために示すブロック構成図。
【図１１】同第３の実施の形態における放送受信装置のソースと音量データとを対応付けたテーブルを説明するために示す図。
【図１２】同第３の実施の形態における放送受信装置の主要な動作の一部を説明するために示すフローチャート。
【図１３】同第３の実施の形態における放送受信装置の主要な動作の残部を説明するために示すフローチャート。
【図１４】この発明の第４の実施の形態を示すもので、放送受信装置を説明するために示すブロック構成図。
【図１５】同第４の実施の形態における放送受信装置のソースと時間帯と音量データとを対応付けたテーブルを説明するために示す図。
【図１６】同第４の実施の形態における放送受信装置の主要な動作の一部を説明するために示すフローチャート。
【図１７】同第４の実施の形態における放送受信装置の主要な動作の残部を説明するために示すフローチャート。
【符号の説明】
【００８８】
１１…放送受信装置、１２…アンテナ、１３…ＴＶ入力端子、１４…受信部、１５…セレクタ、１６…入力端子、１７…信号処理部、１８…音量制御部、１９…音声出力端子、２０…スピーカ、２１…制御部、２２…操作部、２３…リモートコントローラ、２４…受信部、２５…メモリ部、２６…ジャンル情報取得部、２７…時刻検出部、２８…タイマ部、２９…放送受信装置、３０…アンテナ、３１…入力端子、３２…セレクタ、３３…アンテナ、３４…入力端子、３５…外部機器、３６…入力端子、３７…外部機器、３８…入力端子、３９…信号処理部、４０…音量制御部、４１…音声出力端子、４２…スピーカ、４３…制御部、４４…操作部、４５…リモートコントローラ、４６…受信部、４７…メモリ部、４８…時刻検出部、４９…タイマ部。
【図１】
2006019770.tif 000003
【図２】
2006019770.tif 000004
【図３】
2006019770.tif 000005
【図４】
2006019770.tif 000006
【図５】
2006019770.tif 000007
【図６】
2006019770.tif 000008
【図７】
2006019770.tif 000009
【図８】
2006019770.tif 000010
【図９】
2006019770.tif 000011
【図１０】
2006019770.tif 000012
【図１１】
2006019770.tif 000013
【図１２】
2006019770.tif 000014
【図１３】
2006019770.tif 000015
【図１４】
2006019770.tif 000016
【図１５】
2006019770.tif 000017
【図１６】
2006019770.tif 000018
【図１７】
2006019770.tif 000019